(57)【要約】【課題】  従来のレンズキャップは、別部品としてレンズキャップ保持体が用意されていなければ、携帯用ストラップに装着することができなかった。【解決手段】  レンズキャップ３は、コイルバネ１５，１５によって保持部材３ｂがキャップ本体３ａの外方に付勢されることにより、保持部材３ｂの引掛部１２，１２が保持部材３ｂのスライド範囲内にある携帯ストラップ９を引っ掛けて挟持する。このため、レンズキャップ３は、キャップ本体３ａがレンズ鏡筒２のレンズ面を覆う位置に保持されていない場合には、引掛部１２，１２によって携帯ストラップ９に保持される。従って、被挟持部材を既に存在する携帯ストラップ９などにすることで、従来のように別部品であるレンズキャップ保持体を新たに用意することなく、レンズキャップ３を未使用時に保持しておくことができる。【選択図】  図４
2011133717.tif 000002
【特許請求の範囲】
【請求項１】
レンズ鏡筒の露出するレンズ面を覆うキャップ本体と、
前記キャップ本体にスライド自在に設けられ前記キャップ本体の外方にスライドすることで前記レンズ鏡筒の被保持部材に係合して前記キャップ本体を前記レンズ面を覆う位置に保持する保持部材と、
前記保持部材を前記キャップ本体の外方に付勢する付勢部材と
を備えるレンズキャップにおいて、
前記保持部材は、前記付勢部材によって前記キャップ本体の外方に付勢されることにより、スライド範囲内にある被挟持部材を引っ掛けて挟持する引掛部を備えることを特徴とするレンズキャップ。
【請求項２】
請求項１に記載のレンズキャップにおいて、
前記保持部材は、第１の可動部材および第２の可動部材から構成され、
前記第１の可動部材および前記第２の可動部材は、それぞれ、一端部側に設けられた前記被保持部材と係合する係合部と、他端部が前記一端部側に折り返されて設けられた前記被挟持部材を引っ掛けて挟持する前記引掛部と、前記付勢部材の付勢力を前記キャップ本体に対して受ける作用部とを備えていることを特徴とするレンズキャップ。
【請求項３】
請求項２に記載のレンズキャップにおいて、
前記第１の可動部材および前記第２の可動部材は、同一の形状をし、前記スライド範囲をスライド自在な間隔をもって前記レンズキャップ本体の中心に対象に配置されていることを特徴とするレンズキャップ。
【請求項４】
請求項１から請求項３のいずれか１項に記載のレンズキャップにおいて、
前記引掛部は、前記被挟持部材と当接する面に前記被挟持部材との間で摩擦を生じさせるズレ防止部材が形成されていることを特徴とするレンズキャップ。
【請求項５】
請求項１から請求項４のいずれか１項に記載のレンズキャップにおいて、
前記被挟持部材の挟持位置を前記スライド範囲内で規制する位置規制部材が前記レンズキャップ本体に設けられていることを特徴とするレンズキャップ。
【請求項６】
請求項１から請求項５のいずれか１項に記載のレンズキャップが装着される前記レンズ鏡筒と、前記レンズ鏡筒から取り込まれた被写体像を撮像する撮像手段とを備えたカメラ。
【請求項７】
前記保持部材が前記被保持部材に係合して請求項１から請求項５のいずれか１項に記載のレンズキャップが装着されるレンズ鏡筒。
【発明の詳細な説明】
【技術分野】
【０００１】
本発明は、レンズ鏡筒の露出するレンズ面を覆うレンズキャップに関するものである。
【背景技術】
【０００２】
従来この種のレンズキャップとしては、例えば、特許文献１に開示されたレンズキャップがある。このレンズキャップは、カメラの未使用時において、内装されている各スプリングにより１対の保持片がそれぞれ外周方向に付勢されて、撮影レンズの鏡筒に装着される。また、レンズキャップは、カメラの使用時において、撮影レンズの鏡筒から取り外されて、携帯用ストラップに設けられたレンズキャップ保持体に装着される。レンズキャップ保持体は、光学ファインダー窓の接眼部に脱着可能な嵌合部が形成されており、光学ファインダー窓の遮光部材を兼ねる。
【先行技術文献】
【特許文献】
【０００３】
【特許文献１】特開平１１−８４４６６号公報
【発明の概要】
【発明が解決しようとする課題】
【０００４】
しかしながら、上記従来のレンズキャップは、撮影レンズの鏡筒から取り外された際に、別部品としてレンズキャップ保持体が用意されていなければ、携帯用ストラップに装着することができなかった。
【課題を解決するための手段】
【０００５】
本発明は、このような課題を解決するためになされたもので、
レンズ鏡筒の露出するレンズ面を覆うキャップ本体と、
キャップ本体にスライド自在に設けられキャップ本体の外方にスライドすることでレンズ鏡筒の被保持部材に係合してキャップ本体をレンズ面を覆う位置に保持する保持部材と、
保持部材をキャップ本体の外方に付勢する付勢部材と
を備えるレンズキャップにおいて、
保持部材が、付勢部材によってキャップ本体の外方に付勢されることにより、スライド範囲内にある被挟持部材を引っ掛けて挟持する引掛部を備えることを特徴とする。
【０００６】
また、本発明は、保持部材が、第１の可動部材および第２の可動部材から構成され、
第１の可動部材および第２の可動部材は、それぞれ、一端部側に設けられた被保持部材と係合する係合部と、他端部が一端部側に折り返されて設けられた被挟持部材を引っ掛けて挟持する引掛部と、付勢部材の付勢力をキャップ本体に対して受ける作用部とを備えていることを特徴とする。
【０００７】
また、本発明は、第１の可動部材および第２の可動部材が、同一の形状をし、スライド範囲をスライド自在な間隔をもってレンズキャップ本体の中心に対象に配置されていることを特徴とする。
【０００８】
また、本発明は、引掛部が、被挟持部材と当接する面に被挟持部材との間で摩擦を生じさせるズレ防止部材が形成されていることを特徴とする。
【０００９】
また、本発明は、被挟持部材の挟持位置をスライド範囲内で規制する位置規制部材がレンズキャップ本体に設けられていることを特徴とする。
【００１０】
また、本発明は、上記構成によるレンズキャップが装着されるレンズ鏡筒と、レンズ鏡筒から取り込まれた被写体像を撮像する撮像手段とを備えて、カメラを構成した。
【００１１】
また、本発明は、保持部材が被保持部材に係合して上記構成によるレンズキャップが装着されるレンズ鏡筒を構成した。
【発明の効果】
【００１２】
本発明によれば、レンズキャップは、保持部材が付勢部材によってキャップ本体の外方に付勢されることにより、保持部材の引掛部が保持部材のスライド範囲内にある被挟持部材を引っ掛けて挟持する。このため、レンズキャップは、キャップ本体がレンズ面を覆う位置に保持されていない場合には、引掛部によって被挟持部材に保持される。従って、被挟持部材を既に存在する部品、例えば携帯ストラップなどにすることで、従来のように別部品であるレンズキャップ保持体を新たに用意することなく、レンズキャップを未使用時に保持しておくことができる。
【図面の簡単な説明】
【００１３】
【図１】本発明の一実施形態によるデジタルカメラの正面斜視図である。
【図２】（ａ）は図１に示すレンズキャップの裏面に携帯ストラップを当接させた平面図、（ｂ）は（ａ）における可動部材の横断面図である。
【図３】図２に示すレンズキャップに設けられた引掛部の一部拡大斜視図である。
【図４】（ａ）は図１に示すレンズキャップの裏面に携帯ストラップを挟持させた平面図、（ｂ）は（ａ）における可動部材の横断面図である。
【発明を実施するための形態】
【００１４】
次に、本発明によるレンズキャップをデジタルカメラのレンズ鏡筒に装着されるレンズキャップに適用した場合における、本発明を実施するための一形態について説明する。
【００１５】
図１は、この一実施形態によるレンズキャップが装着されたデジタルカメラ１の正面斜視図である。
【００１６】
デジタルカメラ１の正面中央部にはレンズ鏡筒２が設けられており、レンズ鏡筒２の先端にはレンズキャップ３が装着されている。レンズキャップ３は、レンズ鏡筒２の露出するレンズ面を覆うキャップ本体３ａに、第１の可動部材３ｂ１および第２の可動部材３ｂ２から構成される保持部材３ｂが設けられている。保持部材３ｂは、キャップ本体３ａにスライド自在に設けられ、キャップ本体３ａの外方にスライドすることでレンズ鏡筒２のレンズカバーリングなどの被保持部材に係合して、キャップ本体３ａをレンズ鏡筒２のレンズ面を覆う位置に保持する。
【００１７】
レンズ鏡筒２の左上方には、シャッターボタン４が設けられている。シャッターボタン４は、半押しされるとＡＦ（オートフォーカス）機能を作動させ、全押しされると予め設定されたシャッター速度でシャッターを開かせ、レンズ鏡筒２によって被写界から導かれる被写体像を撮像素子に所定時間露光させて、被写体像の撮像を行わせる。撮像素子は、レンズ鏡筒２から取り込まれた被写体像を撮像する撮像手段を構成している。レンズ鏡筒２の右上方には、ＬＥＤ（Light Emitting Diode）からなるセルフタイマランプ５が設けられている。シャッターボタン４の上方のデジタルカメラ１の肩部上面には、撮影時の種々の情報が表示される撮影情報表示パネル６が設けられており、セルフタイマランプ５の上方の肩部上面には、種々の撮影モードを設定するための撮影モードダイヤル７が設けられている。また、デジタルカメラ１の中央上部には、フラッシュ装置などを取り付けるためのアクセサリシュー８が設けられている。また、デジタルカメラ１の両側面上部には、デジタルカメラ１を持ち運ぶ際などに使用者に用いられる携帯ストラップ９が取り付けられている。
【００１８】
図２（ａ）は、図１に示すレンズキャップ３の裏面に携帯ストラップ９を当接させた平面図、同図（ｂ）は同図（ａ）のIIb−IIb線に沿って破断した第２の可動部材３ｂ２の矢視横断面図である。
【００１９】
保持部材３ｂを構成する第１の可動部材３ｂ１および第２の可動部材３ｂ２は、係合部１１，１１、引掛部１２，１２、および作用部１３，１３をそれぞれ備えた同一の形状をしており、そのスライド範囲をスライド自在な間隔をもってキャップ本体３ａの中心に対象に配置されている。係合部１１，１１は、第１の可動部材３ｂ１および第２の可動部材３ｂ２の各外方の一端部側に設けられており、レンズ鏡筒２の被保持部材と係合する。引掛部１２，１２は、第１の可動部材３ｂ１および第２の可動部材３ｂ２の各他端部が一端部側に折り返されて断面がコの字型に設けられ、被挟持部材である携帯ストラップ９を引っ掛けて挟持する。第１の可動部材３ｂ１の引掛部１２は、挟持する携帯ストラップ９の幅を確保するために中心線Ｃ１よりも右側に設けられ、第２の可動部材３ｂ２の引掛部１２は中心線Ｃ１よりも左側に設けられている。また、同図（ｂ）に示すように、作用部１３，１３と、キャップ本体３ａに形成された基材部１４，１４との間における係合部１１，１１の下方空間には、コイルバネ１５，１５が収められている。コイルバネ１５，１５は、保持部材３ｂをキャップ本体３ａの外方に付勢する付勢部材を構成し、作用部１３，１３は、コイルバネ１５，１５の付勢力をキャップ本体３ａの基材部１４，１４に対して受ける。
【００２０】
引掛部１２，１２には、図３の一部拡大斜視図に示すように、携帯ストラップ９と当接するコの字型折り返し部の内面に、携帯ストラップ９との間で摩擦を生じさせるリブ状のズレ防止部材１６が形成されている。また、引掛部１２，１２の裏面には、図２（ｂ）に示すように、リブ１７が設けられている。リブ１７は、キャップ本体３ａの裏面に設けられた溝１８と嵌合し、第１の可動部材３ｂ１および第２の可動部材３ｂ２を溝１８に沿って直線状にスライドさせる。また、キャップ本体３ａの裏面には、図２（ａ）に示すように、第１の可動部材３ｂ１および第２の可動部材３ｂ２のスライド範囲内で携帯ストラップ９を引掛部１２，１２に挿通させられるように、ガイド部材１９が４箇所に立設されている。ガイド部材１９は、キャップ本体３ａにおける携帯ストラップ９の挟持位置を保持部材３ｂのスライド範囲内で規制する位置規制部材を構成している。
【００２１】
図２における第１の可動部材３ｂ１および第２の可動部材３ｂ２は、使用者の指によってキャップ本体３ａの中心方向にコイルバネ１５，１５の付勢力に抗して押し込まれ、レンズキャップ３の表面に設けられたストッパに当たった状態を示している。この状態において、レンズキャップ３をレンズ鏡筒２の鏡筒枠先端に押し当てて指を離すと、第１の可動部材３ｂ１および第２の可動部材３ｂ２がコイルバネ１５，１５の付勢力によってキャップ本体３ａの外方にスライドし、係合部１１，１１がレンズ鏡筒２のレンズカバーリングなどと係合する。この結果、レンズキャップ３がレンズ鏡筒２のレンズ面を覆う位置に装着される。また、レンズキャップ３を携帯ストラップ９に保持させる際には、第１の可動部材３ｂ１および第２の可動部材３ｂ２が使用者の指によってキャップ本体３ａの中心方向にコイルバネ１５，１５の付勢力に抗して押し込まれた図２に示す状態において、キャップ本体３ａに設けられた４箇所のガイド部材１９間に沿って携帯ストラップ９がキャップ本体３ａに当接される。この状態で、使用者が第１の可動部材３ｂ１および第２の可動部材３ｂ２から指を離すと、コイルバネ１５，１５の付勢力によって、第１の可動部材３ｂ１および第２の可動部材３ｂ２が図４に示すように外方にスライドする。
【００２２】
図４（ａ）は、このようにして第１の可動部材３ｂ１および第２の可動部材３ｂ２によってレンズキャップ３の裏面に携帯ストラップ９を挟持させた平面図、同図（ｂ）は、同図（ａ）におけるIVb−IVb線に沿って破断した第２の可動部材３ｂ２の矢視横断面図である。なお、同図において図２と同一部分には同一符号を付して、その説明は省略する。
【００２３】
第１の可動部材３ｂ１および第２の可動部材３ｂ２がコイルバネ１５，１５の付勢力によって外方にスライドさせられると、引掛部１２，１２はその間隔が狭まり、４箇所のガイド部材１９間に沿ってキャップ本体３ａに当接された携帯ストラップ９を図示するように挟み込む。第１の可動部材３ｂ１および第２の可動部材３ｂ２に設けられた係止部２１は、キャップ本体３ａに携帯ストラップ９が当接されずに使用者が指を離した際に、キャップ本体３ａに設けられたストッパ２２に当たり、コイルバネ１５，１５の付勢力によって第１の可動部材３ｂ１および第２の可動部材３ｂ２が外方に移動する位置を規制する。
【００２４】
このような本実施形態によれば、作用部１３，１３がキャップ本体３ａに対してコイルバネ１５，１５から付勢力を受け、保持部材３ｂを構成する第１の可動部材３ｂ１および第２の可動部材３ｂ２がそれぞれキャップ本体３ａの外方に付勢されることで、それらの一端部側に設けられた係合部１１，１１がレンズカバーリングなどと係合し、レンズキャップ３はキャップ本体３ａがレンズ鏡筒２のレンズ面を覆う位置に保持される。また、作用部１３，１３がキャップ本体３ａに対してコイルバネ１５，１５から付勢力を受け、第１の可動部材３ｂ１および第２の可動部材３ｂ２がそれぞれキャップ本体３ａの外方に付勢されることで、それらの他端部が一端部側に折り返されて設けられた引掛部１２，１２が、図４に示すようにスライド範囲内にある携帯ストラップ９を引っ掛けて挟持し、レンズキャップ３は携帯ストラップ９に保持される。このため、レンズキャップ３は、キャップ本体３ａがレンズ鏡筒２のレンズ面を覆う位置に保持されていない場合には、引掛部１２，１２によって携帯ストラップ９に保持される。従って、被挟持部材を既に存在する携帯ストラップ９などにすることで、従来のように光学ファインダー窓の遮光部材を兼ねる別部品であるレンズキャップ保持体を新たに用意することなく、レンズキャップ３を未使用時に保持しておくことができる。
【００２５】
また、本実施形態によるレンズキャップ３によれば、図２および図４に示すように、第１の可動部材３ｂ１および第２の可動部材３ｂ２が、同一の形状をし、スライド範囲をスライド自在な間隔をもってレンズキャップ３本体の中心に対象に配置されることで、保持部材３ｂが構成される。このため、保持部材３ｂを少ない部品点数で構成でき、レンズキャップ３の製造コストを低減することができる。
【００２６】
また、本実施形態によるレンズキャップ３は、図３に示すリブ状のズレ防止部材１６と携帯ストラップ９との間で生じる摩擦力により、引掛部１２，１２が携帯ストラップ９を挟持する位置からズレ難くなる。このため、使用者は、レンズキャップ３を携帯ストラップ９の任意の位置に保持させておくことが可能になる。
【００２７】
また、本実施形態によるレンズキャップ３によれば、携帯ストラップ９の挟持位置をスライド範囲内で規制するガイド部材１９がキャップ本体３ａに設けられているため、携帯ストラップ９は、引掛部１２，１２によって引掛かり易い位置に規制され、引掛部１２，１２によって円滑に挟持される。
【００２８】
また、本実施形態によれば、デジタルカメラ１を使用する際に、レンズキャップ３を携帯ストラップ９に挟持させて、撮影を行うことができる。
【００２９】
なお、上記実施形態においては、キャップ本体３ａにガイド部材１９を設けた場合について説明したが、本発明はこれに限られることはない。例えば、キャップ本体３ａにガイド部材１９を設けない構成にしてもよい。この構成によれば、ガイド部材１９の立設幅よりも広い幅の携帯ストラップ９に対応することができる。
【００３０】
また、上記実施形態においては、レンズキャップ３を携帯ストラップ９に保持させる場合について説明したが、本発明はこれに限られることはない。例えば、携帯ストラップ９の長さを調節する金具にレンズキャップ３を保持させるようにしてもよい。すなわち、被挟持部材は携帯ストラップ９に限られない。
【００３１】
また、上記実施形態においては、引掛部１２，１２にリブ状のズレ防止部材１６を設けて引掛部１２，１２と携帯ストラップ９との間で摩擦力を生じさせる場合について説明したが、本発明はこれに限られることはない。例えば、リブ状のズレ防止部材１６に代えて、引掛部１２，１２にゴム板などを貼り付けたり、または、引掛部１２，１２にゴム粒子を厚く被覆するライニング塗装を施すことなどにより、引掛部１２，１２と携帯ストラップ９との間で摩擦力を生じさせる構成にしてもよい。この構成においても、上記実施形態と同様の作用・効果が奏される。
【００３２】
また、上記実施形態においては、付勢部材をコイルバネ１５，１５とした場合について説明したが、本発明はこれに限られることはない。例えば、プラスチック製の弾性を有するくの字型のバネ部材をキャップ本体３ａの中心に対象に配置する構成などとしてもよい。この構成においても、上記実施形態と同様の作用・効果が奏される。
【産業上の利用可能性】
【００３３】
上記の実施形態においては、本発明によるレンズキャップをレンズ鏡筒を備えたカメラに適用した場合について説明したが、保持部材が被保持部材に係合して上記実施形態に記載のレンズキャップが装着されるレンズ鏡筒、例えば、カメラに交換可能に装着されるレンズ鏡筒や、スコープなどのレンズ鏡筒などに本発明を適用することも可能である。このようなレンズ鏡筒に本発明によるレンズキャップを適用した場合においても、レンズ鏡筒の使用時にそのレンズキャップを被挟持部材に保持させておくことができ、上記実施形態と同様の作用・効果が奏される。
【符号の説明】
【００３４】
１…デジタルカメラ
２…レンズ鏡筒
３…レンズキャップ
３ａ…キャップ本体
３ｂ…保持部材
３ｂ１…第１の可動部材
３ｂ２…第２の可動部材
９…携帯ストラップ
１１，１１…係合部
１２，１２…引掛部
１３，１３…作用部
１５，１５…コイルバネ
１６…ズレ防止部材
１９…ガイド部材
【図１】
2011133717.tif 000003
【図２】
2011133717.tif 000004
【図３】
2011133717.tif 000005
【図４】
2011133717.tif 000006